(57)【特許請求の範囲】
【請求項１】
検査指令手段を有し、前記検査指令手段は、テストモード信号により、空気調和機が具備している複数個のアクチュエータを所定時間ずつ所定の順序でオートプレイ式に動作させる制御を行なうと共に、テストモードにおいて、付属のワイヤレスリモートコントローラからの外部信号により各アクチュエータ毎に動作時間を延長できることを特徴とする空気調和機の検査制御装置。
【請求項２】
前記付属のワイヤレスリモートコントローラよりテストモード信号を送信することを特徴とする請求項１に記載の空気調和機の検査制御装置。
【請求項３】
空気調和機の室内機あるいは室外機にテストモード信号を送出するテストモード指令送出手段が設けられていることを特徴とする請求項１に記載の空気調和機の検査制御装置。
【請求項４】
テストモードにおける動作対象のアクチュエータが切り替わる度に、切り替わりを警告する警告出力することを特徴とする請求項１〜３のいずれか一つに記載の空気調和機の検査制御装置。
【請求項５】
前記警告出力はブザーの発鳴と表示器の発光の少なくともいずれか一方であることを特徴とする請求項４に記載の空気調和機の検査制御装置。
【請求項６】
現在、動作対象のアクチュエータを特定するためにテストモードにおける動作対象のアクチュエータが切り替わる度に、動作するアクチュエータを示す告知出力することを特徴とする請求項１〜５のいずれか一つに記載の空気調和機の検査制御装置。
【請求項７】
前記告知出力はブザー音と表示器の表示の少なくともいずれか一方により行われることを特徴とする請求項６に記載の空気調和機の検査制御装置。
【発明の詳細な説明】
【０００１】
【発明の属する技術分野】
この発明は、空気調和機の検査制御装置に関し、特に、故障に対するサービス時等に、空気調和機が有している複数個のアクチュエータのうち、どのアクチュエータが故障しているかを確認するための検査制御装置に関するものである。
【０００２】
【従来の技術】
空気調和機において、アクチュエータの故障診断を行う検査制御装置として、特開平８―１２８６９９号公報に示されているように、空気調和機が、ワイヤレスリモートコントローラ（以下、リモコンと略称することがある）より専用の検査用信号を受信すると、その信号と１対１の関係で関連付けられている或る一つのアクチュエータ、たとえば室内機の送風機のみを動作モードにして室内送風機の動作状態を観察することができる検査制御装置が知られている。この検査制御装置では、状態を調べたいアクチュエータ毎に、リモコンより専用の検査用信号を送信することが行われる。
【０００３】
空気調和機などのリモコン装置の動作状態（データ異常）を検査するものとしては、特開平６−１７８３６８号公報に示されているように、テストスイッチが操作されると、テストモードに入り、リモコン装置のキーが操作される度に、順次異なるデータナンバのデータを表示するものが知られている。
【０００４】
【発明が解決しようとする課題】
特開平８―１２８６９９号公報に示されているような空気調和機の検査制御装置では、状態を調べたいアクチュエータ毎に、リモコンより専用の検査用信号を送信しなければならないため、検査するアクチュエータの数が多くなるに従い、検査用信号を送信するための操作回数が増え、検査作業が繁雑なものとなり、作業性がよい検査作業を行うことが難しくなる。
【０００５】
特開平６−１７８３６８号公報に示されているものは、リモコン装置を用いてデータ異常を検査するものであるが、このリモコン装置でも、テスト対象を変更するためには、リモコン装置のキー操作が必要であるため、自動で全検査を行うことができない。
【０００６】
この発明は、上述の如き問題点を解消するためになされたもので、空気調和機の室内機、室外機が備えている複数個のアクチュエータのうち、どのアクチュエータが故障しているかを確認するための検査作業を作業性よく円滑に、確実に行うことができる空気調和機の検査制御装置を得ることを目的としている。
【０００７】
【課題を解決するための手段】
上述の目的を達成するために、この発明による空気調和機の検査制御装置は、検査指令手段を有し、前記検査指令手段は、テストモード信号により、空気調和機が具備している複数個のアクチュエータを所定時間ずつ所定の順序でオートプレイ式に動作させる制御を行なうと共に、テストモードにおいて、付属のワイヤレスリモートコントローラからの外部信号により各アクチュエータ毎に動作時間を延長できるものである。
【０００８】
つぎの発明による空気調和機の検査制御装置は、付属のワイヤレスリモートコントローラよりテストモード信号を送信するものである。
【０００９】
つぎの発明による空気調和機の検査制御装置は、空気調和機の室内機あるいは室外機にテストモード信号を送出するテストモード指令送出手段が設けられているものである。
【００１１】
つぎの発明による空気調和機の検査制御装置は、テストモードにおける動作対象のアクチュエータが切り替わる度に、切り替わりを警告する警告出力するものである。
【００１２】
つぎの発明による空気調和機の検査制御装置は、前記警告出力はブザーの発鳴と表示器の発光の少なくともいずれか一方であるものである。
【００１３】
つぎの発明による空気調和機の検査制御装置は、現在、動作対象のアクチュエータを特定するためにテストモードにおける動作対象のアクチュエータが切り替わる度に、動作するアクチュエータを示す告知出力するものである。
【００１４】
つぎの発明による空気調和機の検査制御装置は、前記告知出力はブザー音と表示器の表示の少なくともいずれか一方により行われるものである。
【００１５】
【発明の実施の形態】
以下に添付の図を参照して、この発明にかかる空気調和機の検査制御装置の実施の形態を詳細に説明する。
【００１６】
実施の形態１．
（全体構成）
図１はこの発明による検査制御装置が適用される空気調和機の実施の形態１の構成を示している。空気調和機は、室内機１０と、室外機３０と、空気調和機を制御する信号を送信するワイヤレスリモートコントローラ（リモコン）５０とにより構成されている。
【００１７】
室内機１０は、室内制御基板１１と、室内機のアクチュエータであるベーンモータ駆動手段１２、ファンモータ駆動手段１３、運転ランプ駆動手段１４、室温ランプ駆動手段１５を備えている。室内制御基板１１には、リモコン信号を受信するリモコン信号受信手段１７と、リモコン信号判別手段１８と、室内機のアクチュエータのためのアクチュエータ制御信号手段１９と、室外機３０と通信を行う室内側通信手段２０と、室内機検査指令手段２１が設けられている。
【００１８】
室外機３０は、室外制御基板３１と、室外機のアクチュエータである四方弁駆動手段３２、ファンモータ駆動手段３３、電磁弁駆動手段３４、ＬＥＶ駆動手段３５、圧縮機運転駆動手段３６を備えている。室外制御基板３１には、室内機１０と通信を行う室外側通信手段３７と、内外信号判別手段３８と、室外機のアクチュエータのためのアクチュエータ制御信号手段３９と、室外機検査指令手段４０とが設けられている。
【００１９】
リモコン５０は、スイッチボタン等を有するリモコン操作手段５１と、ボタン押し判別手段５２と、リモコン信号を送信するリモコン信号送信手段５３と有している。リモコン５０は、リモコン操作手段５１を操作すると、その操作内容（指令）をボタン押し判別手段５２にて判別し、リモコン信号送信手段５３よりリモコン信号を室内機１０へ向けて送信する。リモコン操作手段５１の操作による操作指令がテストモードであれば、リモコン信号送信手段５３は室内機１０に対してテストモード信号を送信する。
【００２０】
室内機１０の室内制御基板１１は、リモコン信号受信手段１７にてリモコン５０からのリモコン信号を受信し、リモコン信号判別手段１８にて、通常運転モード指令のリモコン信号であるか、室内機テストモード指令のリモコン信号であるか、室外機テストモード指令のリモコン信号であるかの判定を行う。
【００２１】
リモコン信号判別手段１８にて判定されたモードが、室外機テストモードであれば、室内側通信手段２０より室外機３０にその旨の信号を送り、これに対し室内機テストモードであれば、室内機検査指令手段２１にその旨の信号を出力する。室内機検査指令手段２１は、室内機テストモードの信号を入力することにより動作し、室内機１０に備わっている全てのアクチュエータを所定時間ずつ所定の順序でオートプレイ式に動作させる指令をアクチュエータ制御信号手段１９へ出力する。
【００２２】
室外機３０の室外制御基板３１は、室外機側通信手段３７にて室内機１０よりの信号を受け取り、内外信号判別手段３８にて信号を解析する。室外テストモード指令であれば、室外機検査指令手段４０にその旨の信号を出力する。室外機検査指令手段４０は、室外機テストモードの信号を入力することにより動作し、室外機３０に備わっている全てのアクチュエータを所定時間ずつ所定の順序でオートプレイ式に動作させる指令をアクチュエータ制御信号手段３９へ出力する。
【００２３】
つぎに、上述のような構成による空気調和機の動作を図２〜図４に示されているフローチャートを参照して説明する。
【００２４】
（リモコンの動作）
図２は、リモコン５０の動作を示すフローチャートである。リモコン操作手段５１の操作により割込信号が入ると、その信号の内容がテストモード指令のものであるか否かをボタン押し判別手段５２にて判別する（ＳＴ１０１）。テストモード指令でない場合には、通常制御信号をセットし（ＳＴ１０２）、その信号を室内機１０に送信する（ＳＴ１０３）。
【００２５】
これに対し、テストモード指令であれば、つぎに、その指令が室内機１０と室外機３０のどちらのテストモードであるかを判断する（ＳＴ１０４）。室内機１０のテストモード指令であれば、室内機テストモード信号をセットして（ＳＴ１０５）、その信号を室内機１０に送信し（ＳＴ１０３）、室外機のテストモード指令であれば、室外機のテストモード信号をセットして（ＳＴ１０６）、その信号を室内機１０に送信する（ＳＴ１０３）。
【００２６】
（室内機の動作）
図３は、室内機１０の動作を示すフローチャートである。リモコン５０からの信号をリモコン信号受信手段１７が受信すると（ＳＴ１０７）、リモコン信号判別手段１８にて信号が通常制御信号か、テストモード信号かを判別する（ＳＴ１０８）。通常制御信号であれば、室内機１０の通常制御を行う（ＳＴ１０９）。なお、ＳＴ１０９では、室外機５０に対して通常制御の通達も行う。
【００２７】
テストモード信号であれば、室内機／室外機どちらのテストモードであるかを判断する（ＳＴ１１０）。室外機のテストモードであれば、室外機３０に対してテストモード信号を送信する（ＳＴ１１１）。これに対し、室内機のテストモードであれば、このことを室内機検査指令手段２１に伝える（ＳＴ１１２）。室内機検査指令手段２１は室内機テストモードの信号により室内機１０に備わっている全てのアクチュエータを所定時間ずつ所定の順序でオートプレイ式に動作させる指令をアクチュエータ制御信号手段１９へ出力する。
【００２８】
これにより、ベーンモータ駆動→ファンモータ駆動→運転ランプ点灯→室温ランプ点灯の順で、これらのアクチュエータが所定時間ずつ順次、自動動作する（ＳＴ１１３〜ＳＴ１１６）。
【００２９】
（室外機の動作）
図４は、室外機３０の動作を示すフローチャートである。室内機１０からの信号を室外側通信手段３７が受信すると（ＳＴ１１７）、内外信号判別手段３８にて信号が通常制御信号か、テストモード信号かを判別する（ＳＴ１１８）。通常制御信号であれば、室外機３０の通常制御を行う（ＳＴ１１９）。
【００３０】
これに対し、室外機のテストモードであれば、このことを室外機検査指令手段４０に伝える（ＳＴ１２０）。室外機検査指令手段４０は室外機テストモードの信号により室外機３０に備わっている全てのアクチュエータを所定時間ずつ所定の順序でオートプレイ式に動作させる指令をアクチュエータ制御信号手段３９へ出力する。これにより、四方弁駆動→ファンモータ駆動→電磁弁駆動→ＬＥＶ駆動→圧縮機駆動の順で、これらのアクチュエータが所定時間ずつ順次、自動動作する（ＳＴ１２１〜ＳＴ１２５）。
【００３１】
上述のような動作によれば、一回の操作で、室内機１０あるいは室外機３０が具備している全てのアクチュエータをチェックすることができ、一人のサービスマンで、短時間にサービスを行える効果が得られる。
【００３２】
実施の形態２．
（構成）
図１に示されている室内機検査指令手段２１、室外機検査指令手段４０は、或るアクチュエータを動作させている所定時間内に外部信号であるリモコン信号（継続信号）を受け付けると、つぎに外部信号であるリモコン信号（停止信号）を受け付けるまで、そのアクチュエータの動作を続行させる検査指令を出すことができる。
【００３３】
つぎに、上述のような構成による空気調和機の動作を図５、図６に示されているフローチャートを参照して説明する。
【００３４】
（室内機の動作）
図５は室内機１０の動作を示すフローチャートである。リモコン５０からの信号をリモコン信号受信手段１７が受信すると（ＳＴ１０７）、リモコン信号判別手段１８にて信号が通常制御信号か、テストモード信号かを判別する（ＳＴ１０８）。通常制御信号であれば、室内機の通常制御を行う（ＳＴ１０９）。なお、ＳＴ１０９では、室外機５０に対して通常制御の通達も行う。
【００３５】
テストモード信号であれば、室内機／室外機どちらのテストモードであるかを判断する（ＳＴ１１０）。室外機のテストモードであれば、室外機３０に対してテストモード信号を送信する（ＳＴ１１１）。これに対し、室内機のテストモードであれば、このことを室内機検査指令手段２１に伝える（ＳＴ１１２）。室内機検査指令手段２１は室内機テストモードの信号により室内機１０に備わっている全てのアクチュエータを所定時間ずつ所定の順序でオートプレイ式に動作させる指令をアクチュエータ制御信号手段１９へ出力する。
【００３６】
これにより、まず、ベーンモータ駆動が所定時間に亙って行われる（ＳＴ１１３）。このベーンモータ駆動期間中はリモコン信号の入力を監視し（ＳＴ２０１）、リモコン信号の入力があると、ベーンモータ駆動を継続し（ＳＴ２０２）、この後に、再度、リモコン信号を受信するまで（ＳＴ２０３）、ベーンモータの駆動を続行する。
【００３７】
ベーンモータ駆動が終了すると、つぎに、ファンモータ駆動が所定時間に亙って行われる（ＳＴ１１４）。このファンモータ駆動期間中もリモコン信号の入力を監視し（ＳＴ２０４）、リモコン信号の入力があると、ファンモータ駆動を継続し（ＳＴ２０５）、この後に、再度、リモコン信号を受信するまで（ＳＴ２０６）、ファンモータの駆動を続行する。
【００３８】
ファンモータ駆動が終了すると、つぎに、運転ランプ点灯が所定時間に亙って行われる（ＳＴ１１５）。この運転ランプ点灯期間中もリモコン信号の入力を監視し（ＳＴ２０７）、リモコン信号の入力があると、運転ランプ点灯を継続し（ＳＴ２０８）、この後に、再度、リモコン信号を受信するまで（ＳＴ２０９）、運転ランプ点灯を続行する。
【００３９】
運転ランプ点灯が終了すると、つぎに、室温ランプ点灯が所定時間に亙って行われる（ＳＴ１１６）。室温ランプ点灯期間中もリモコン信号の入力を監視し（ＳＴ２１０）、リモコン信号の入力があると、室温ランプ点灯を継続し（ＳＴ２１１）、この後に、再度、リモコン信号を受信するまで（ＳＴ２１２）、室温ランプ点灯を続行する。
【００４０】
（室外機の動作）
図６は、室外機３０の動作を示すフローチャートである。室内機１０からの信号を室外側通信手段３７が受信すると（ＳＴ１１７）、内外信号判別手段３８にて信号が通常制御信号か、テストモード信号かを判別する（ＳＴ１１８）。通常制御信号であれば、室外機３０の通常制御を行う（ＳＴ１１９）。これに対し、室外機のテストモードであれば、このことを室外機検査指令手段４０に伝える（ＳＴ１２０）。室外機検査指令手段４０は室外機テストモードの信号により室外機３０に備わっている全てのアクチュエータを所定時間ずつ所定の順序でオートプレイ式に動作させる指令をアクチュエータ制御信号手段３９へ出力する。
【００４１】
これにより、まず、四方弁駆動が所定時間に亙って行われる（ＳＴ１２１）。この四方弁駆動期間中はリモコン信号の入力を監視し（ＳＴ２１３）、リモコン信号の入力があると、四方弁駆動を継続し（ＳＴ２１４）、この後に、再度、リモコン信号を受信するまで（ＳＴ２１５）、四方弁の駆動を続行する。
【００４２】
四方弁駆動が終了すると、つぎに、ファンモータ駆動が所定時間に亙って行われる（ＳＴ１２２）。このファンモータ駆動期間中もリモコン信号の入力を監視し（ＳＴ２１６）、リモコン信号の入力があると、ファンモータ駆動を継続し（ＳＴ２１７）、この後に、再度、リモコン信号を受信するまで（ＳＴ２１８）、ファンモータの駆動を続行する。
【００４３】
ファンモータ駆動が終了すると、つぎに、電磁弁駆動が所定時間に亙って行われる（ＳＴ１２３）。この電磁弁駆動期間中もリモコン信号の入力を監視し（ＳＴ２１９）、リモコン信号の入力があると、電磁弁駆動を継続し（ＳＴ２２０）、この後に、再度、リモコン信号を受信するまで（ＳＴ２２１）、電磁弁の駆動を続行する。
【００４４】
電磁弁駆動が終了すると、つぎに、ＬＥＶ駆動が所定時間に亙って行われる（ＳＴ１２４）。このＬＥＶ駆動期間中もリモコン信号の入力を監視し（ＳＴ２２２）、リモコン信号の入力があると、ＬＥＶ駆動を継続し（ＳＴ２２３）、この後に、再度、リモコン信号を受信するまで（ＳＴ２２４）、ＬＥＶの駆動を続行する。
【００４５】
ＬＥＶ駆動が終了すると、つぎに、圧縮機駆動が所定時間に亙って行われる（ＳＴ１２５）。この圧縮機駆動期間中もリモコン信号の入力を監視し（ＳＴ２２５）、リモコン信号の入力があると、圧縮機駆動を継続し（ＳＴ２２６）、この後に、再度、リモコン信号を受信するまで（ＳＴ２２７）、圧縮機の駆動を続行する。
【００４６】
これにより、他のアクチュエータを動かさず、確認したいアクチュエータのみを繰り返し動かすこと、換言すれば、検査時間を自由に延長できるため、サービス時間の短縮と確実な検査の両立を図ることができる効果を得ることができる。
【００４７】
実施の形態３．
（全体構成）
図７は、この発明による検査制御装置を適用される空気調和機の実施の形態３の構成を示している。なお、図７において、図１に示されているものと同等あるいは同一の構成要件には、図７に付けた符号と同一の符号を付けてその説明を省略する。
【００４８】
この実施の形態では、室内機１０に、ブザー駆動手段２２と、表示器駆動手段２３とが追加されており、室内機検査指令手段２１、室外機検査指令手段４０は、テストモードにおける動作対象のアクチュエータが切り替わる度に、ブザーの発鳴と、その旨の表示器の発光の少なくともいずれかの警告出力が行われるよう制御する。
【００４９】
つぎに、上述のような構成による空気調和機の動作を図８、図９に示されているフローチャートを参照して説明する。
【００５０】
（室内機の動作）
図８は、室内機１０の動作を示すフローチャートである。リモコン５０からの信号をリモコン信号受信手段が受信すると（ＳＴ１０７）、リモコン信号判別手段１８にて信号が通常制御信号か、テストモード信号かを判別する（ＳＴ１０８）。通常制御信号であれば、室内機１０の通常制御を行う（ＳＴ１０９）。なお、ＳＴ１０９では、室外機５０に対して通常制御の通達も行う。
【００５１】
テストモード信号であれば、室内機／室外機どちらのテストモードであるかを判断する（ＳＴ１１０）。室外機のテストモードであれば、室外機３０に対してテストモード信号を送信する（ＳＴ１１１）。これに対し、室内機のテストモードであれば、このことを室内機検査指令手段２１に伝える（ＳＴ１１２）。室内機検査指令手段２１は室内機テストモードの信号により室内機１０に備わっている全てのアクチュエータを所定時間ずつ所定の順序でオートプレイ式に動作させる指令をアクチュエータ制御信号手段１９へ出力する。これにより、まず、ブザーを鳴らして表示が行われ（ＳＴ３０１）、ベーンモータ駆動が所定時間に亙って行われる（ＳＴ１１３）。
【００５２】
ベーンモータ駆動が終了すると、つぎに、動作対象のアクチュエータが切り替わるタイミングを知らせるために、ブザーを鳴らして表示が行われ（ＳＴ３０２）、ファンモータ駆動が所定時間に亙って行われる（ＳＴ１１４）。ファンモータ駆動が終了すると、つぎに、動作対象のアクチュエータが切り替わるタイミングを知らせるために、ブザーを鳴らして表示が行われ（ＳＴ３０３）、運転ランプ点灯が所定時間に亙って行われる（ＳＴ１１５）。
【００５３】
運転ランプ点灯が終了すると、つぎに、動作対象のアクチュエータが切り替わるタイミングを知らせるために、ブザーを鳴らして表示が行われ（ＳＴ３０４）、室温ランプ点灯が所定時間に亙って行われる（ＳＴ１１６）。
【００５４】
（室外機の動作）
図９は、室外機３０の動作を示すフローチャートである。室内機１０からの信号を室外側通信手段３７が受信すると（ＳＴ１１７）、内外信号判別手段３８にて信号が通常制御信号か、テストモード信号かを判別する（ＳＴ１１８）。通常制御信号であれば、室外機３０の通常制御を行う（ＳＴ１１９）。
【００５５】
これに対し、室外機のテストモードであれば、このことを室外機検査指令手段４０に伝える（ＳＴ１２０）。室外機検査指令手段４０は室外機テストモードの信号により室外機３０に備わっている全てのアクチュエータを所定時間ずつ所定の順序でオートプレイ式に動作させる指令をアクチュエータ制御信号手段３９へ出力する。これにより、まず、ブザーを鳴らして表示が行われ（ＳＴ３０５）、四方弁駆動が所定時間に亙って行われる（ＳＴ１２１）。
【００５６】
四方弁駆動が終了すると、つぎに、動作対象のアクチュエータが切り替わるタイミングを知らせるために、ブザーを鳴らして表示が行われ（ＳＴ３０６）、ファンモータ駆動が所定時間に亙って行われる（ＳＴ１２２）。ファンモータ駆動が終了すると、つぎに、動作対象のアクチュエータが切り替わるタイミングを知らせるために、ブザーを鳴らして表示が行われ（ＳＴ３０７）、電磁弁駆動が所定時間に亙って行われる（ＳＴ１２３）。
【００５７】
電磁弁駆動が終了すると、つぎに、動作対象のアクチュエータが切り替わるタイミングを知らせるために、ブザーを鳴らして表示が行われ（ＳＴ３０８）、ＬＥＶ駆動が所定時間に亙って行われる（ＳＴ１２４）。ＬＥＶ駆動が終了すると、つぎに、動作対象のアクチュエータが切り替わるタイミングを知らせるために、ブザーを鳴らして表示が行われ（ＳＴ３０９）、圧縮機駆動が所定時間に亙って行われる（ＳＴ１２５）。
【００５８】
これにより、テストモードにおいて、動作対象のアクチュエータが切り替わるタイミングをブザー音、表示光にてサービスマンに知らせるため、誰にでも分かり易くサービスが容易になるという効果がある。
【００５９】
なお、この実施の形態では、アクチュエータの切り替わるタイミングの告知をブザー音と表示光の両方で行うことになっているが、これはいずれか一方でも同等の効果が得られる。
【００６０】
実施の形態４．
（構成）
この実施の形態では、図７に示されているように、室内機１０に、ブザー駆動手段２２と、表示器駆動手段２３とが追加されており、室内機検査指令手段２１、室外機検査指令手段４０は、テストモードにおいて、どのアクチュエータが動作対象になるをブザーの発鳴回数や表示の点灯回数で知らせる制御を行う。すなわち、テストモードにおける動作対象のアクチュエータが切り替わる度に、現在、動作対象のアクチュエータを特定する告知出力を行う。
【００６１】
つぎに、上述のような構成による空気調和機の動作を図１０、図１１に示されているフローチャートを参照して説明する。
【００６２】
（室内機の動作）
図１１は、室内機１０の動作を示すフローチャートである。リモコン５０からの信号をリモコン信号受信手段１７が受信すると（ＳＴ１０７）、リモコン信号判別手段１８にて信号が通常制御信号か、テストモード信号かを判別する（ＳＴ１０８）。通常制御信号であれば、室内機の通常制御を行う（ＳＴ１０９）。なお、ＳＴ１０９では、室外機５０に対して通常制御の通達も行う。
【００６３】
テストモード信号であれば、室内機／室外機どちらのテストモードであるかを判断する（ＳＴ１１０）。室外機のテストモードであれば、室外機３０に対してテストモード信号を送信する（ＳＴ１１１）。これに対し、室内機のテストモードであれば、このことを室内機検査指令手段２１に伝える（ＳＴ１１２）。室内機検査指令手段２１は室内機テストモードの信号により室内機１０に備わっている全てのアクチュエータを所定時間ずつ所定の順序でオートプレイ式に動作させる指令をアクチュエータ制御信号手段１９へ出力する。これにより、まず、ベーンモータが駆動され（ＳＴ１１３）、このベーンモータ駆動中に表示器をｎ回点滅する（ＳＴ５０１）。
【００６４】
所定時間が経過すれば、ベーンモータ駆動を終えて、つぎにファンモータが駆動され（ＳＴ１１４）、このファンモータの駆動中に表示器をｎ＋１回点滅する（ＳＴ５０２）。所定時間が経過すれば、ファンモータ駆動を終えて、つぎに運転ランプが点灯され（ＳＴ１１５）、この運転ランプ点灯中に表示器をｎ＋２回点滅する（ＳＴ５０３）。
【００６５】
所定時間が経過すれば、運転ランプ点灯を終えて、つぎに室温ランプが点灯され（ＳＴ１１６）、この室温ランプの点灯中に表示器をｎ＋３回点滅する（ＳＴ５０４）。所定時間が経過すれば、室温ランプの点灯を終えて、つぎに再びベーンモータが駆動され（ＳＴ１１３）、このベーンモータの駆動中に表示器をｎ回点滅することを繰り返す（ＳＴ５０１）。
【００６６】
（室外機の動作）
図１１は、室外機３０の動作を示すフローチャートである。室内機１０からの信号を室外側通信手段３７が受信すると（ＳＴ１１７）、内外信号判別手段３８にて信号が通常制御信号か、テストモード信号かを判別する（ＳＴ１１８）。通常制御信号であれば、室外機３０の通常制御を行う（ＳＴ１１９）。
【００６７】
これに対し、室外機のテストモードであれば、このことを室外機検査指令手段４０に伝える（ＳＴ１２０）。室外機検査指令手段４０は室外機テストモードの信号により室外機３０に備わっている全てのアクチュエータを所定時間ずつ所定の順序でオートプレイ式に動作させる指令をアクチュエータ制御信号手段３９へ出力する。これにより、まず、四方弁が駆動され（ＳＴ１２１）、この四方弁駆動中に表示器をｎ＋４回点滅する（ＳＴ５０５）。
【００６８】
所定時間が経過すれば、四方弁駆動を終えて、つぎにファンモータが駆動され（ＳＴ１２２）、このファンモータの駆動中に表示器をｎ＋５回点滅する（ＳＴ５０６）。所定時間が経過すれば、ファンモータ駆動を終えて、つぎに電磁弁が駆動され（ＳＴ１２３）、この電磁弁駆動中に表示器をｎ＋６回点滅する（ＳＴ５０７）。
【００６９】
所定時間が経過すれば、電磁弁駆動を終えて、つぎにＬＥＶが駆動され（ＳＴ１２４）、このＬＥＶの駆動中に表示器をｎ＋７回点滅する（ＳＴ５０８）。所定時間が経過すれば、ＬＥＶ駆動を終えて、つぎに圧縮機が駆動され（ＳＴ１２５）、この圧縮機駆動中に表示器をｎ＋８回点滅する（ＳＴ５０９）。所定時間が経過すれば、圧縮機の駆動を終えて、つぎに再び四方弁が駆動され（ＳＴ１２１）、この四方弁の駆動中に表示器をｎ＋４回点滅することを繰り返す（ＳＴ５０５）。
【００７０】
これにより、表示器の点滅回数から、今、何のアクチュエータが駆動しているのかが、誰にでも分かり易くなり、検査効率が向上するという効果がある。
【００７１】
なお、この実施の形態では、表示器（光）の点滅回数にて表示内容を分けたが、アクチュエータ毎に異なる表示方法を行うことにより、同様の効果を得られ、また、音にて知らせた場合にも同様の効果を得ることができる。
【００７２】
上述のいずれの実施の形態でも、空気調和機が受信するテストモード信号の送信手段をリモコンに備えたが、テストモード信号送出手段１６（図１参照）を室内機１０あるいは室外機３０の基板に備えても同様の効果を得ることができる。
【００７３】
また、必要に応じて、一回の操作で、室内機１０と室外機３０とが具備している全てのアクチュエータを所定時間ずつ所定の順序でオートプレイ式に動作させ、室内機１０と室外機３０とが具備している全てのアクチュエータの検査を一回の操作で行えるようにすることもできる。
【００７４】
【発明の効果】
以上の説明から理解される如く、この発明による空気調和機の検査制御装置よれば、検査指令手段がテストモード信号により空気調和機が具備している複数個のアクチュエータを所定時間ずつ所定の順序でオートプレイ式に動作させるから、一回の操作で、空気調和機（室内機、室外機）が具備している全てのアクチュエータをチェックすることができ、空気調和機の室内機、室外機が備えている複数個のアクチュエータのうち、どのアクチュエータが故障しているかを確認するための検査作業を、一人のサービスマンで、作業性よく円滑に、短時間に行うことができるという効果を得られる。
【００７５】
通常、セパレート型空気調和機のサービスの一例を上げると、室外機のアクチュエータチェックの際、室内機を一人のサービスマンが操作し、もう一人が室外で室内機の操作に合わせて室外機をチェックしなければならないが、この発明によれば、室内でアクチュエータをテストモードに入れる操作をすれば、順番にアクチュエータが動作していくため、一人のサービスマンで室外機のアクチュエータのチェックも行うことができるという効果がある。
さらに、テストモードにおいて、付属のワイヤレスリモートコントローラからの外部信号により各アクチュエータ毎に動作時間を延長できるから、空気調和機の室内機、室外機が備えている複数個のアクチュエータのうち、どのアクチュエータが故障しているかを確認するための検査作業を、円滑に作業性よく、しかも確実に行うことができる。
【００７６】
つぎの発明による空気調和機の検査制御装置によれば、付属のワイヤレスリモートコントローラよりテストモード信号を送信するから、ワイヤレスリモートコントローラの操作で、簡単にテストモードに入ることができる。
【００７７】
つぎの発明による空気調和機の検査制御装置によれば、空気調和機の室内機あるいは室外機にテストモード信号を送出するテストモード指令送出手段が設けられているから、室内機あるいは室外機に設けられているテストモード指令送出手段の操作によってもテストモードに入ることができる。
【００７９】
つぎの発明による空気調和機の検査制御装置によれば、テストモードにおける動作対象のアクチュエータが切り替わる度に、警告出力するから、動作対象のアクチュエータが切り替わるタイミングをサービスマンに知らせることができ、誰にでも分かり易くサービスが容易になるという効果がある。
【００８０】
つぎの発明による空気調和機の検査制御装置によれば、動作対象のアクチュエータが切り替わるタイミングをブザー音、表示光にてサービスマンに知らせるため、誰にでも分かり易くサービスが容易になるという効果がある。
【００８１】
つぎの発明による空気調和機の検査制御装置によれば、テストモードにおける動作対象のアクチュエータが切り替わる度に、現在、動作対象のアクチュエータを特定するための告知を出力するから、今、何のアクチュエータが駆動しているのかが、誰にでも分かり易くなり、検査効率が向上するという効果がある。
【００８２】
つぎの発明による空気調和機の検査制御装置によれば、ブザー音、表示器の表示により、今、何のアクチュエータが駆動しているのかが、誰にでも分かり易くなり、検査効率が向上するという効果がある。
【００８３】
通常、セパレート型空気調和機のサービスの一例を上げると、室外機のアクチュエータチェックの際、室内機を一人のサービスマンが操作し、もう一人が室外で室内機の操作に合わせて室外機をチェックしなければならなかった。本発明によれば、室内でアクチュエータテストモードに入る操作をすれば、順番にアクチュエータが動作していくため、一人のサービスマンで室外機のアクチュエータチェックも行うことができるという効果がある。
【図面の簡単な説明】
【図１】  この発明による検査制御装置を適用される空気調和機の実施の形態１、２の構成を示すブロック図である。
【図２】  この発明による検査制御装置を適用される空気調和機のリモコンの動作を示すフローチャートである。
【図３】  この発明による検査制御装置を適用される空気調和機の室内機の動作を示すフローチャートである。
【図４】  この発明による検査制御装置を適用される空気調和機の室外機の動作を示すフローチャートである。
【図５】  この発明による検査制御装置を適用される空気調和機の室内機の動作を示すフローチャートである。
【図６】  この発明による検査制御装置を適用される空気調和機の室外機の動作を示すフローチャートである。
【図７】  この発明による検査制御装置を適用される空気調和機の実施の形態３、４の構成を示すブロック図である。
【図８】  この発明による検査制御装置を適用される空気調和機の室内機の動作を示すフローチャートである。
【図９】  この発明による検査制御装置を適用される空気調和機の室外機の動作を示すフローチャートである。
【図１０】  この発明による検査制御装置を適用される空気調和機の室内機の動作を示すフローチャートである。
【図１１】  この発明による検査制御装置を適用される空気調和機の室外機の動作を示すフローチャートである。
【符号の説明】
１０  室内機、１１  室内制御基板、１２  ベーンモータ駆動手段、１３  ファンモータ駆動手段、１４  運転ランプ駆動手段、１５  室温ランプ駆動手段１、１６  テストモード信号送出手段、１７  リモコン信号受信手段、１８  リモコン信号判別手段、１９  アクチュエータ制御信号手段、２０  室内側通信手段、２１  室内機検査指令手段、２２  ブザー駆動手段、２３  表示器駆動手段、３０  室外機、３１  室外制御基板、３２  四方弁駆動手段、３３  ファンモータ駆動手段、３４  電磁弁駆動手段、３５  ＬＥＶ駆動手段、３６  圧縮機運転駆動手段、３７  室外側通信手段、３８  内外信号判別手段、３９  アクチュエータ制御信号手段、４０  室外機検査指令手段、５０  リモコン、５１  リモコン操作手段、５２  ボタン押し判別手段、５３  リモコン信号送信手段。
【図１】
0003957115.tif 000002
【図２】
0003957115.tif 000003
【図３】
0003957115.tif 000004
【図４】
0003957115.tif 000005
【図５】
0003957115.tif 000006
【図６】
0003957115.tif 000007
【図７】
0003957115.tif 000008
【図８】
0003957115.tif 000009
【図９】
0003957115.tif 000010
【図１０】
0003957115.tif 000011
【図１１】
0003957115.tif 000012